【手続補正書】
【提出日】平成15年7月31日(2003.7.31)
【手続補正１】
【補正対象書類名】明細書
【補正対象項目名】特許請求の範囲
【補正方法】変更
【補正の内容】
【特許請求の範囲】
【請求項１】
互いに連接する少なくとも１０個の直線セグメントからなり、それぞれのセグメントが自由空間動作波長の１０分の１よりも小さく、また、隣接して連接するセグメントがいずれも別のより長い直線セグメントを形成しないように空間的に配置され、前記セグメントは所望によっては曲線の先端以外で互いに交わることがなく、隣接するセグメントの対の画成する角が所望に応じて丸み付け、または、円滑になっており、しかして、それが、少なくとも１０個の連接するセグメントにより形成される非周期曲線により規定される限り、一定の直線方向に沿って所望に応じて周期的であり、また、前記隣接して連接するセグメントの対がより長い直線セグメントを規定することのない曲線として定義づけられる空間充填曲線(以後、ＳＦＣ)として、少なくとのその一部分が形成されているアンテナ。  
【請求項２】
少なくとのその一部分が空間充填曲線(ＳＦＣ)として成形されていて、このＳＦＣが、１よりも大きいボックス・カウンティング寸法を特徴付けており、前記ボックス・カウンティング寸法は、対数の対数グラフの直線部の傾斜として算出され、前記直線部が、対数の対数グラフの水平軸上の少なくとも一つのオクターブの目盛りにわたり直線セグメントとしてほぼ画成されてなる請求項１に記載のアンテナ。  
【請求項３】
少なくともその一部分がヒルバート曲線ないしペアノ曲線の何れかで成形されてなる請求項１または２に記載のアンテナ。  
【請求項４】
少なくともその一部分がＳＺ、ＺＺ、ヒルバートＺＺ、ペアノinc、ペアノdec、または、ペアノＺＺ曲線として成形されてなる請求項１または２に記載のアンテナ。  
【請求項５】
上記アンテナは、放射エレメントと入力コネクタまたは伝送線との間にネットワークを含んでいて、該ネットワークは、整合ネットワーク、インピーダンス変換ネットワーク、バランネットワーク、フィルタネットワーク、ダイプレクサネットワークまたはデュプレクサネットワークのいずれかである請求項１〜４のいずれか１つに記載のアンテナ。
【請求項６】
該アンテナは、少なくともそのアームの一方の少なくとも一部分が、ＳＦＣ、ヒルバート、ペアノ、ヒルバートＺＺ、ＳＺ、ペアノinc、ペアノdec、ペアノＺＺ、または、ＺＺ曲線として成形されてなるダイポール・アンテナである請求項１〜５のいずれか１つに記載のアンテナ。
【請求項７】
該アンテナは、放射アームと接地平衡錘とからなり、少なくとも上記放射アームの一部分がＳＦＣ、ヒルバート、ペアノ、ヒルバートＺＺ、ＳＺ、ペアノinc、ペアノdec、ペアノＺＺ、または、ＺＺ曲線として成形されてなるモノポール・アンテナである請求項１〜５のいずれか１つに記載のアンテナ。
【請求項８】
スロットを有する少なくとも一つの導電ないし超伝導表面からなり、前記スロットが、ＳＦＣ、ヒルバート、ペアノ、ヒルバートＺＺ、ＳＺ、ペアノinc、ペアノdec、ペアノＺＺ、または、ＺＺ曲線として成形され、かつ、誘電体基板により裏当てされて充たされており、前記スロットを有する導電ないし超伝導表面が、導波管の壁部、空洞共振器の壁部、動力走行式車両の窓ガラスに設けた導電フィルム、または、動力走行式車両の金属構造体の一部分で構成されてなるスロット型アンテナである請求項１〜５のいずれか１つに記載のアンテナ。
【請求項９】
導電ないし超伝導ワイヤからなり、ループを形成するこのワイヤの少なくとも一部分が、ＳＦＣ、ヒルバート、ペアノ、ヒルバートＺＺ、ＳＺ、ペアノinc、ペアノdec、ペアノＺＺ、または、ＺＺ曲線として成形されているループアンテナである請求項１〜５のいずれか１つに記載のアンテナ。
【請求項１０】
該アンテナは、その上にスロットまたはギャップのループが刻設されている導電ないし超伝導表面からなり、前記スロットまたはギャップのループの一部分がＳＦＣ、ヒルバート、ペアノ、ヒルバートＺＺ、ＳＺ、ペアノinc、ペアノdec、ペアノＺＺ、または、ＺＺ曲線として成形されてなるループアンテナである請求項１〜５のいずれか１つに記載のアンテナ。
【請求項１１】
該アンテナは、少なくとも導電ないし超伝導接地面と、該接地面に平行な導電ないし超伝導パッチとからなり、該パッチの境界が、ＳＦＣ、ヒルバート、ペアノ、ヒルバートＺＺ、ＳＺ、ペアノinc、ペアノdec、ペアノＺＺ、または、ＺＺ曲線として成形されているパッチ型アンテナである請求項１〜５のいずれか１つに記載のアンテナ。
【請求項１２】
該アンテナは、上記パッチ上のスロットまたは開口が、ＳＦＣ、ヒルバート、ペアノ、ヒルバートＺＺ、ＳＺ、ペアノinc、ペアノdec、ペアノＺＺ、または、ＺＺ曲線として成形されているパッチ型アンテナである請求項１〜５のいずれか１つに記載のアンテナ。
【請求項１３】
該アンテナは、少なくとも導電ないし超伝導表面と、該表面における開口部とからなり、該開口部の境界がＳＦＣ、ヒルバート、ペアノ、ヒルバートＺＺ、ＳＺ、ペアノinc、ペアノdec、ペアノＺＺ、または、ＺＺ曲線として成形されてなり、また、開口またはスロットを有する前記導電ないし超伝導表面が導波管の壁部、空洞共振器の壁部、動力走行式車両の窓ガラスに設けた導電フィルム、または、動力走行式車両の金属構造体の一部分で構成されてなり、上記スロットが誘電体基材によって充填しもどされることができる開口型アンテナである請求項１〜５のいずれか１つに記載のアンテナ。
【請求項１４】
該アンテナは、ホーンの横断面がＳＦＣ、ヒルバート、ペアノ、ヒルバートＺＺ、ＳＺ、ペアノinc、ペアノdec、ペアノＺＺ、または、ＺＺ曲線として成形されてなるホーン型アンテナである請求項１〜５のいずれか１つに記載のアンテナ。
【請求項１５】
該アンテナは、リフレクタの境界が、ＳＦＣ、ヒルバート、ペアノ、ヒルバートＺＺ、ＳＺ、ペアノinc、ペアノdec、ペアノＺＺ、または、ＺＺ曲線として成形されてなるリフレクタ型アンテナである請求項１〜５のいずれか１つに記載のアンテナ。
【請求項１６】
該アンテナは、導電ないし超伝導表面からなり、該表面には、ＳＦＣ、ペアノ、ヒルバートＺＺ、ＳＺ、ペアノinc、ペアノdec、ペアノＺＺ、または、ＺＺ曲線として成形される少なくとも一つのスロットが刻設されている周波数選択表面(ＦＳＳ)として機能する請求項１〜５のいずれか１つに記載のアンテナ。
【請求項１７】
該アンテナは、従来公知の製造法を利用してその上に導電ないし超伝導構造体が印刷されており、この印刷構造体の形状が、少なくとも部分的には、ＳＦＣ、ペアノ、ヒルバートＺＺ、ＳＺ、ペアノinc、ペアノdec、ペアノＺＺ、または、ＺＺ曲線である周波数選択表面(ＦＳＳ) として機能する請求項１〜５のいずれか１つに記載のアンテナ。
【請求項１８】
請求項１〜１７のいずれかに記載の空間充填アンテナの集合であって、前記アンテナの集合のうちにおけるアンテナのうちの少なくとも二つが異なった通信サービスを網羅すべく異なった周波数で動作するようになっており、また、前記構成の何れかによる前記アンテナには、それぞれ分布ないしダイプレクサネットワークにより同時に給電されることよりなる空間充填アンテナの集合。
【請求項１９】
請求項１〜１８のいずれかに記載のアンテナであって、アンテナの大きさが、同一周波数で動作する同一モノポール・アンテナ、ダイポール・アンテナ、パッチ型、スロット型、開口型、ホーン型、または、リフレクタ型の三角形、矩形、円形、五角形または六角形アンテナの大きさよりも小さいことを特徴とするアンテナ。